(57)【要約】      （修正有）【課題】ガラス越しに見える車載装置の見栄えを向上する。【解決手段】車両に搭載される車載装置であって、取付け面１２１ａと表示部１２２とを備える。取付け面は、車両のガラスに取り付けられる。表示部とは、車載装置がガラスに取り付けられた状態において車外の者に対して何らかの表示を行うことで車載装置の取付け面の見栄えを向上させることができるものである。例えば、表示部は、文字、図形、記号などの画像等を出力可能なディスプレイのような発光体を備える装置や点灯するＬＥＤのような発光体自体であってもよい。また、文字、図形、記号などの画像等が描かれたテープやステッカーなどの発光体を備えないものであってもよく、また、車載装置の取付け面に直接描かれた画像等でもあってもよい。【選択図】図２
2020135208.tif 000002
【特許請求の範囲】
【請求項１】
車両に搭載される車載装置であって、
前記車両のガラスに取り付けられる取付け面と、
前記取付け面に設けられた表示部と、
を備える、車載装置。
【請求項２】
請求項１に記載の車載装置であって、
前記表示部は、発光体を備え、前記発光体を発行させることで画像を出力する、車載装置。
【請求項３】
請求項２に記載の車載装置であって、
前記画像表示部は、前記画像として文字を出力可能である、車載装置。
【請求項４】
請求項２又は請求項３に記載の車載装置であって、
前記表示部は、画像を表示可能なディスプレイである、車載装置。
【請求項５】
請求項１から請求項４までのいずれか１項に記載の車載装置であって、
筐体を備え、前記筐体の一方の主面に撮像装置のレンズが設けられ、他方の主面にディスプレイ及び／又は操作部が設けられた本体部と、
一端部に前記本体部が取り付けられたステー部と、
を備え、
前記ステー部における前記一端部と反対側の端部に前記取付け面を備える車載装置。
【発明の詳細な説明】
【技術分野】
【０００１】
本開示は、車載装置に関する。
【背景技術】
【０００２】
車両事故の後処理において、事故原因に対する当事者の主張が大きく食い違い、事故の解決が円滑に進行しないという問題を解消するため、当事者及び第三者が事故の状況を画像で確認できる車載装置としてのドライブレコーダが普及している。ドライブレコーダには、車両のフロントガラスに取り付けられるタイプのものがある。
【発明の概要】
【発明が解決しようとする課題】
【０００３】
ドライブレコーダなどの車載装置が車両のフロントガラスなどのガラスに取り付けられた状態では、車載装置におけるガラスに取り付けられる取付け面がガラス越しに外部から丸見えの状態となる。このため、ガラス越しに見える車載装置の見栄えが悪いという問題があった。
【０００４】
本開示の一局面は、ガラス越しに見える車載装置の見栄えを向上することを目的としている。
【課題を解決するための手段】
【０００５】
本開示の一態様は、車両に搭載される車載装置であって、取付け面と表示部とを備える。取付け面は、車両のガラスに取り付けられる。表示部は、取付け面に設けられる。
このような構成によれば、車載装置が車両のガラスに取り付けられた状態において、取付け面に設けられた表示部が車外から視認できる。よって、取付け面に表示部を備えない構成と比較して、ガラス越しに見える車載装置の見栄えを向上できる。
【０００６】
なお、本開示でいう表示部とは、車載装置がガラスに取り付けられた状態において車外の者に対して何らかの表示を行うことで車載装置の取付け面の見栄えを向上させることができるもの全てを包含する概念である。例えば、本開示でいう表示部は、文字、図形、記号などの画像等を出力可能なディスプレイのような発光体を備える装置や点灯するＬＥＤのような発光体自体であってもよい。また、本開示でいう表示部は、文字、図形、記号などの画像等が描かれたテープやステッカーなどの発光体を備えないものであってもよく、また、車載装置の取付け面に直接描かれた画像等でもあってもよい。
【０００７】
本開示の一態様では、表示部は、発光体を備え、発光体を発行させることで画像を出力してもよい。このような構成によれば、例えば、文字、図形、記号等が描かれたテープやステッカー等を取付け面に貼り付けて当該テープ等を表示部とする構成よりも、車外から表示部が目に付きやすくすることができる。
【０００８】
本開示の一態様では、表示部は、画像として文字を出力可能であってもよい。このような構成によれば、車載装置の見栄えの向上に加えて車外の者に文字を介してメッセージを伝えることができる。
【０００９】
本開示の一態様では、表示部は、画像を表示可能なディスプレイであってもよい。このような構成によれば、車外の者に種々の画像を提示でき、車載装置の見栄えを更に向上できる。
【００１０】
本開示の一態様では、車載装置は、本体部とステー部とを備えていてもよい。本体部は、筐体の一方の主面に撮像装置のレンズが設けられ、他方の主面にディスプレイ及び／又は操作部が設けられる。ステー部は、一端部に本体部が取り付けられる。ステー部における前記一端部と反対側の端部に取付け面が備えられる。
【００１１】
このような構成によれば、ステー部を介して車両のガラスに取り付けるタイプの車載装置において、ガラス越しに見える車載装置の見栄えを向上できる。
【図面の簡単な説明】
【００１２】
【図１】ドライブレコーダが車両のフロントガラスに取り付けられた状態を示す図である。
【図２】ドライブレコーダの本体部の一方の主面を示す図である。
【図３】ドライブレコーダの本体部の他方の主面を示す図である。
【図４】ドライブレコーダの内部構成を示す図である。
【図５】本体部を直接フロントガラスに取り付けるタイプのドライブレコーダを示す図である。
【発明を実施するための形態】
【００１３】
以下、図面を参照しながら、本開示を実施するための形態を説明する。
［１．構成］
図１〜図４に示す車載装置の一例としてのドライブレコーダ１は、車両２のガラス（本実施形態ではフロントガラス３）の室内側に装着される。ドライブレコーダ１は、走行中又は駐車中の車両２の周囲の少なくとも一部（本実施形態では車両前方）を撮像してその映像を記録する。
【００１４】
ドライブレコーダ１は、本体部１１とステー部１２とを備える。
本体部１１は、直方体状の筐体１１１を備える。筐体１１１の一方の主面（図２に示す筐体１１１の手前側の面。ドライブレコーダ１の正面。）にはカメラのレンズ１１２が設けられている。また、前記一方の主面には、マイク１１３及びスピーカ１１４も設けられている。また、筐体１１１の他方の主面（図３に示す筐体１１１の手前側の面。ドライブレコーダ１の背面。）には、液晶ディスプレイ１１５と操作ボタン１１６とが設けられている。なお、液晶ディスプレイ１１５が、他方の主面に設けられたディスプレイの一例に相当し、操作ボタン１１６が操作部の一例に相当する。また、筐体１１１の上面にはステー部１２の一端部が設けられている。
【００１５】
ステー部１２は、フロントガラス３に対して本体部１１を一定の角度で保持するための部位である。ステー部１２の一端部は、筐体１１１の上面に取り付けられている。ステー部１２における前記一端部と反対側の端部（以下、他端部）には取付け部１２１が備えられる。取付け部１２１は、車両２のフロントガラス３に取り付けられる部位である。本実施形態では、取付け部１２１は、平面視長方形状の板状の形状をしている。後述のとおり、取付け部１２１の一方の主面（図４に示す取付け部１２１の上面）には、図４においてハッチングで示される透明な両面テープ４が貼付されている。そして、この両面テープ４によって、図１に示すように取付け部１２１、ひいてはドライブレコーダ１がフロントガラス３に取り付けられる。つまり、取付け部１２１の上面は、フロントガラス３に取り付けられる取付け面１２１ａを構成する。
【００１６】
ステー部１２は、ヒンジ機構１２３を備える。ヒンジ機構１２３の軸１２３ａを回動軸として取付け部１２１に対して本体部１１を回動させることができる。換言すれば、フロントガラス３に対する本体部１１の角度を調整可能である。なお、ヒンジ機構１２３に代えて又は加えてボールジョイントを使用してもよい。
【００１７】
本実施形態では、取付け部１２１は、発光体を備える表示部１２２を備える。具体的には、表示部１２２は、表示画面１２２ａを有する平面視長方形の板状の液晶ディスプレイである。表示部１２２は、取付け部１２１におけるフロントガラス３に取り付けられる側において表示画面１２２ａが露出するように設けられている。
【００１８】
詳細には、取付け部１２１における取付け面１２１ａの中央部には、図４に示す直方体状の窪み１２１ｂが形成されている。そして、当該窪み１２１ｂに平面視長方形状の板状の表示部１２２が埋め込まれている。また、取付け面１２１ａにおける中央部に設けられた表示部１２２の周囲には、当該表示部１２２を囲むように表示部１２２が設けられていない領域が存在している。そして、前述の透明な両面テープ４が、表示部１２２を含む取付け面１２１ａの全面に貼付されている。
【００１９】
そして、両面テープ４が貼付された取付け面１２１ａをフロントガラス３に取り付け、ドライブレコーダ１をフロントガラス３に取り付けることで、図１に示すように、フロントガラス３越しに外部から表示画面１２２ａが目視可能となる。
【００２０】
表示部１２２は画像としての文字を出力可能である。具体的には、駐車監視録画の実行中に「駐車監視中」の文字が表示部１２２の表示画面１２２ａに出力される。駐車監視録画は、車両２のイグニッションスイッチがオフである間（すなわち、車両２の駐車中）に実行されるドライブレコーダ１による録画のことである。なお、本実施形態では、テロップのように「駐車監視中」の文字が左右に動いていくように表示される。
【００２１】
本実施形態では、表示部１２２は、車両２の駐車中において発光し、車両２の走行中においては発光しない。なお、車両２が走行中か否かの判定は、図４に示すＧＰＳアンテナ１２４により検出された車両２の現在位置の変化の有無に基づいて行われてもよい。また、当該判定は、車両２のエンジンのオンオフに基づいて行われてもよい。
【００２２】
なお、ドライブレコーダ１は、ステー部１２が車両２から電力の供給を受け、本体部１１がステー部１２から電力供給を受ける構成であってもよい。これに際し、例えば、ステー部１２にＤＣ／ＤＣコンバータ（１２Ｖと５Ｖとを変換するＤＣ／ＤＣコンバータ等）が設けられてもよい。なお、ステー部１２で車両２からの電力供給を受けた方が、本体部１１が直接車両２から電力供給を受けるよりも、車両２内部から配線される電力供給用電線を短くすることができる。
【００２３】
なお、本実施形態では、図４に示すように取付け部１２１にＧＰＳアンテナ１２４が内蔵されている。そして、ＧＰＳアンテナ１２４からの電力線１２４ａと表示部１２２からの電力線１２２ｂとが取付け部１２１からステー部１２を介して本体部１１に内蔵された図示省略する制御装置や、電池等の電力供給部等に接続されている。なお、制御装置は、ドライブレコーダ１内の各部品の動作を統括及び制御する部品である。
【００２４】
［２．効果］
以上詳述した実施形態によれば、以下の効果が得られる。
（１）本実施形態では、取付け面１２１ａに表示部１２２が設けられる。したがって、ドライブレコーダ１が車両２のフロントガラス３に取り付けられた状態において、取付け面１２１ａに設けられた表示部１２２が車外から視認できる。よって、取付け面１２１ａに表示部１２２を備えない構成と比較して、フロントガラス３越しに見えるドライブレコーダ１の見栄えを向上できる。
【００２５】
（２）本実施形態では、表示部１２２は、発光体を備え、発光体を発光させることで画像を出力可能である。したがって、例えば、文字、図形、記号等が描かれたテープやステッカー等を取付け面１２１ａに貼り付けて当該テープ等を表示部とする構成と比較して、車外から表示部１２２が目に付きやすくすることができる。また例えば表示部として１つのランプを設け、単にこのランプを点灯させて表示部とする構成（すなわち発光体を備えるが画像を出力可能でない構成）と比較して、フロントガラス３越しに見えるドライブレコーダ１の見栄えを向上できる。
【００２６】
（３）本実施形態では、表示部１２２は、画像として文字を出力可能である。したがって、ドライブレコーダ１の見栄えの向上に加えて車外の者に文字を介してメッセージを伝えることができる。特に、駐車監視録画の実行中において、「駐車監視中」など、駐車監視録画が実行されていることを示す文字を表示することによって、駐車中における車内の物品の盗難等の抑止効果を促進できる。
【００２７】
（４）本実施形態では、表示部１２２は、画像を表示可能なディスプレイである。したがって、車外の者に種々の画像を提示でき、ドライブレコーダ１の見栄えを更に向上できる。
【００２８】
（５）本実施形態では、ステー部１２における他端部に取付け面１２１ａが備えられる。そして、この取付け面１２１ａに表示部１２２が設けられる。
したがって、ステー部１２を介してフロントガラス３に取り付けるタイプのドライブレコーダ１において、フロントガラス３越しに見えるドライブレコーダ１の見栄えを向上できる。
【００２９】
なお、本実施形態では、ドライブレコーダ１が車載装置の一例に相当する。
［３．他の実施形態］
以上、本開示を実施するための形態について説明したが、本開示は上述の実施形態に限定されることなく、種々変形して実施することができる。
【００３０】
（１）上記実施形態では、発光体を発光させることで画像を出力する表示部として液晶ディスプレイである表示部１２２を例示したが、発光体を発光させることで画像を出力する表示部はこれに限られるものではない。表示部は、例えば、有機ＥＬディスプレイや７セグメントディスプレイ等であってもよい。また例えば、表示部は、ＬＥＤ素子等のランプを複数並べたものであってもよい。この場合において、複数のランプを点灯させることで画像を出力してもよい。
【００３１】
また、表示部は、発光体を備えるが画像を出力可能でなくてもよい。この場合において例えば、表示部は１つのランプであってもよい。そして、例えば、表示部としてのランプを赤色等に点灯させることで駐車監視中であることを車外の者に通知してもよい。
【００３２】
また例えば、表示部は、発光体を備えていなくてもよい。この場合において例えば、文字、図形、記号等が描かれたテープやステッカー等を表示部として取付け面１２１ａに貼り付けてもよい。また、文字等を取付け面１２１ａに直接描画し、当該文字等を表示部としてもよい。
【００３３】
このように、本明細書でいう「表示部」には、発光体を備えず、文字、図形、記号等を表示するものも含まれる。
（２）上記実施形態では、表示部１２２に表示される文字として「駐車監視中」を例示したが、表示部１２２に表示される文字（画像）はこれに限られない。例えばドライブレコーダ１の製造会社の社名等が表示部１２２に表示されてもよい。また例えば、文字以外のもの（例えば、図形や記号等）が表示部１２２に表示されてもよい。
【００３４】
（３）上記実施形態では、表示部１２２に表示される画像は左右に動いていくように表示されるが、画像の表示態様はこれに限られない。例えば画像は上下等、左右以外の方向に動くように表示されてもよい。また、画像は動かないように表示されてもよい。つまり、画像の表示態様は任意である。
【００３５】
（４）上記実施形態では、取付け面１２１ａにおいて表示部１２２の周囲に当該表示部１２２が設けられていない領域が存在している。しかしながら、取付け面１２１ａにおける表示部１２２が占める範囲はこれに限られない。例えば、取付け面１２１ａの全面に表示部１２２が設けられていてもよい。
【００３６】
（５）上記実施形態において、両面テープ４は完全に透明でなくてもよい。例えば、両面テープ４は、表示画面１２２ａが両面テープ４を介して視認できる程度の透明性を有していればよい。
【００３７】
（６）上記実施形態では、表示部１２２を含む取付け面１２１ａの全面に両面テープ４が貼付されているが、両面テープの貼付け方はこれに限られない。例えば、取付け面１２１ａにおける一部、具体的には、取付け面１２１ａにおける表示部１２２が設けられていない領域に両面テープが貼付されてもよい。つまり、両面テープは、表示部１２２の表示画面１２２ａを避けるようにして貼付されてもよい。この場合において例えば、両面テープは透明でなくてもよい。
【００３８】
（７）上記実施形態では、取付け面１２１ａに形成された窪み１２１ｂに表示部１２２が埋め込まれる。しかし、表示部１２２の設け方はこれに限られない。例えば、取付け面を窪みのない平面状に形成し、当該平面状の取付け面に表示部１２２を接着等で取り付けてもよい。
【００３９】
また例えば、取付け面１２１ａにおける中央部を除いた範囲に表示部１２２を設けてもよい。この場合において例えば、取付け面１２１ａにおける中央部を囲むように（換言すれば、取付け面１２１ａの周縁に沿うように）ＬＥＤ等の発光体などを配置して表示部を構成してもよい。
【００４０】
（８）上記実施形態では、ステー部１２における他端部に取付け面１２１ａが設けられ、当該取付け面１２１ａに表示部１２２が設けられるが、取付け面、ひいては表示部が設けられる箇所はこれに限られない。
【００４１】
例えば、図５に示すドライブレコーダ５は、ステー部１２を備えず、本体部５１を直接フロントガラス３に取り付けるタイプのドライブレコーダである。このタイプのドライブレコーダ５において、本体部５１の筐体５１１の一部（例えば図５に示すように筐体５１１の上面）に取付け面５１１ａを設け、当該取付け面５１１ａに表示部５２２を設けてもよい。
【００４２】
なお、取付け面５１１ａは、ドライブレコーダ５の正面から背面にかけて（図５に示す筐体１１１の手前側の面から奥側の面にかけて）高さが高くなるように傾斜して形成されている。また、前述したドライブレコーダ１の筐体１１１と同様に、筐体５１１の一方の主面（図５に示す手前側の面）には、カメラのレンズ５１２、マイク５１３及びスピーカ５１４が設けられる。また、筐体５１１の他方の主面（図５に示す奥側の面）には、液晶ディスプレイと操作ボタンとが設けられている。
【００４３】
このような構成によれば、本体部５１を直接フロントガラス３に取り付けるタイプのドライブレコーダ５において、取付け面５１１ａに表示部５２２を備えない構成と比較して、フロントガラス３越しに見えるドライブレコーダ５の見栄えを向上できる。
【００４４】
（９）上記実施形態において、取付け面１２１ａの一部を凹状に削って文字などの画像を形成し、当該凹状に削られた部位における光散乱や屈折率の差などを利用して取付け面１２１ａに形成された前記画像を視認させるようにしもよい。この構成では凹状に削られた部位が表示部として機能する。
【００４５】
また例えば、取付け面１２１ａにディスプレイを設け、当該ディスプレイ自体の表面又は当該ディスプレイの表面に貼り付けられたシールなどの別部材の表面を凹状に削って画像を形成し、当該画像を視認させる構成としてもよい。
【００４６】
つまり、この構成では、取付け面１２１ａに設けられたディスプレイが発光している発光状態では当該ディスプレイに表示されている画像が車外から視認される。一方、当該ディスプレイが発光していない非発光状態では当該ディスプレイ自体の表面又は当該ディスプレイの表面に設けられた別部材に形成された前記画像が視認される。
【００４７】
この構成では、取付け面１２１ａに設けられたディスプレイ、及び、当該ディスプレイ自体の表面等における前記凹状に削られた部位が表示部として機能する。
この場合において例えば、発光状態において視認される画像と非発光状態において視認される画像（取付け面１２１ａを凹状に削って形成される画像）とを互いに異なる画像としてもよい。具体的には例えば、前者の画像を「駐車監視中」の文字とし、後者の画像をドライブレコーダの製造会社の社名等にしてもよい。
【００４８】
（１０）上記実施形態において、両面テープ以外の取付け方法、具体的には例えば、接着剤等を用いてドライブレコーダ１をフロントガラス３に取り付けてもよい。
（１１）上記実施形態では、車載装置としてドライブレコーダ１を例示したが、車載装置はこれに限られない。例えば、車載装置は、レーダー探知機等であってもよい。
【００４９】
（１２）上記実施形態では、車載装置が取り付けられるガラスとしてフロントガラスを例示したが、車載装置が取り付けられるガラスはこれに限られない。例えば、車載装置が取り付けられるガラスは、サイドガラス、リアガラス等の他のガラスであってよい。
【００５０】
（１３）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言によって特定される技術思想に含まれるあらゆる態様が本開示の実施形態である。
【符号の説明】
【００５１】
１，５…ドライブレコーダ、２…車両、３…フロントガラス、１１，５１…本体部、
１２…ステー部、１１１，５１１…筐体、１１２，５１２…カメラのレンズ、
１１３…液晶ディスプレイ、１１４…操作ボタン、１２１…取付け部、
１２１ａ，５１１ａ…取付け面、１２２，５２２…表示部、
１２２ａ…表示画面。
【図１】
2020135208.tif 000003
【図２】
2020135208.tif 000004
【図３】
2020135208.tif 000005
【図４】
2020135208.tif 000006
【図５】
2020135208.tif 000007